(57)【特許請求の範囲】
【請求項１】
モバイル通信システムの基地局トランシーバ（１００）において動作可能な装置（１０）であって、複数（１５）のアンテナに対するインターフェースを有するトランシーバ・モジュール（１２）及び制御モジュール（１４）を備え、
前記トランシーバ・モジュール（１２）が、
前記インターフェースを使用して、前記複数（１５）のアンテナを複数のサブグループへと細分し、
サブグループのうちの複数のアンテナを用いて、且つアナログ・ビーム形成を使用して、複数のサブセクタを含む第１のビーム・パターン（１６）を形成する、
ように動作可能であり、
前記制御モジュール（１４）が、
前記トランシーバ・モジュール（１２）と、前記第１のビーム・パターン（１６）とを使用して、同期信号を送信し、
前記第１のビーム・パターン（１６）の各サブセクタにおいてランダム・アクセス・プリアンブル信号を並列にスキャンすることにより、前記第１のビーム・パターン（１６）を使用して該ランダム・アクセス・プリアンブル信号をモバイル・トランシーバ（２００）から受信し、
前記ランダム・アクセス・プリアンブル信号が１つまたは複数のサブセクタ上で検出される場合、最強のランダム・アクセス・プリアンブル信号を有するサブセクタを選択し、
選択された前記サブセクタの中で、前記第１のビーム・パターン（１６）を使用してランダム・アクセス応答を前記モバイル・トランシーバ（２００）に対して送信し、
前記トランシーバ・モジュール（１２）を使用して、前記モバイル・トランシーバ（２００）から前記同期信号の送信の後に応答信号としてパイロット信号を受信し、
前記モバイル・トランシーバ（２００）からの前記応答信号に基づいて、前記第１のビーム・パターン（１６）よりも高いアンテナ利得を有する第２のビーム・パターン（１８）を決定し、
前記第２のビーム・パターン（１８）と、前記トランシーバ・モジュール（１２）とを使用して、後続の信号を前記モバイル・トランシーバ（２００）に対して送信する、
ように動作可能である、
装置（１０）。
【請求項２】
前記第２のビーム・パターン（１８）は、前記第１のビーム・パターン（１６）よりも多くのアンテナを使用する、請求項１に記載の装置（１０）。
【請求項３】
アンテナは、前記基地局トランシーバ（１００）のセクタを対象として含む個別のビーム・パターンを使用する、請求項１に記載の装置（１０）。
【請求項４】
前記制御モジュール（１４）は、デジタル・ビーム形成を使用して、前記第２のビーム・パターン（１８）を形成するように動作可能であり、あるいは前記トランシーバ・モジュール（１２）は、アナログ・ビーム形成を使用して、前記第１のビーム・パターン（１６）と、前記第２のビーム・パターン（１８）とを形成するように動作可能であり、前記制御モジュール（１４）は、前記トランシーバ・モジュール（１２）においてビーム・パターンを選択するように動作可能である、請求項１に記載の装置。
【請求項５】
前記制御モジュール（１４）は、
段々と狭くなるビーム・パターンを後で評価することにより、第２のビーム・パターン（１８）を繰り返して決定するように動作可能であり、及び／又は、
前記同期信号に対する第１の所定のタイム・スロットにおいて、前記トランシーバ・モジュール（１２）を使用して、モバイル・トランシーバ（２００）から前記同期信号に対する前記応答信号を受信するように動作可能であり、且つ、
前記制御モジュール（１４）は、前記第１の所定のタイム・スロットとは異なる第２の所定のタイム・スロットにおいて、前記トランシーバ・モジュールを使用して、前記モバイル・トランシーバ（２００）に特有の制御データを送信するように動作可能である、
請求項１に記載の装置（１０）。
【請求項６】
モバイル通信システムのモバイル・トランシーバ（２００）において動作可能な装置（２０）であって、複数のアンテナ（２５）に対するインターフェースを備えているトランシーバ・モジュール（２２）及び制御モジュール（２４）を備え、
前記制御モジュール（２４）が、
前記複数のアンテナ（２５）に基づいて、複数のサブセクタを含むビーム・パターンの第１の組（２６）を決定し、
前記トランシーバ・モジュール（２２）を使用して、且つ、ビーム・パターンの前記第１の組（２６）からの第１のビーム・パターンを用いて、同期信号を基地局トランシーバ（１００）から受信し、
前記複数のアンテナ（２５）に基づいて、ビーム・パターンの前記第１の組（２６）よりも多くのビーム・パターンを含むビーム・パターンの第２の組（２８）を決定し、
前記同期信号に基づいて、ランダム・アクセス・プリアンブルの送信のための無線リソースに関連した情報を決定し、且つ、
前記トランシーバ・モジュール（２２）及び前記同期信号に基づいて決定される前記無線リソースを使用して、ビーム・パターンの前記第２の組（２８）からの第２のビーム・パターンを使用して、ランダム・アクセス・プリアンブルを前記基地局トランシーバ（１００）に対して送信する、
ように動作可能であり、
前記モバイル・トランシーバ（２００）は、
ダウンリンク測定結果から最良のサブセクタを決定し、且つ、
アップリンクにおけるサブセクタ固有のランダム・アクセス・プリアンブルを用いてその選択を示す、
ように構成されている、装置（２０）。
【請求項７】
モバイル通信システムの基地局トランシーバ（１００）のための方法であって、
複数（１５）のアンテナを複数のサブグループへと細分するステップ（３０）と、
サブグループのうちの複数のアンテナを用いて、且つアナログ・ビーム形成を使用して、複数のサブセクタを含む第１のビーム・パターン（１６）を形成するステップ（３２）と、
前記第１のビーム・パターン（１６）を使用して、各サブセクタに固有であり且つランダム・アクセス・プリアンブルの送信のための無線リソースに関連した情報を含む同期信号を送信するステップ（３４）と、
前記第１のビーム・パターン（１６）の各サブセクタにおいてランダム・アクセス・プリアンブル信号を並列にスキャンすることにより、前記第１のビーム・パターン（１６）を使用して、各サブセクタに固有のランダム・アクセス・プリアンブル信号をモバイル・トランシーバ（２００）から受信するステップと、
前記ランダム・アクセス・プリアンブル信号が１つまたは複数のサブセクタ上で検出される場合、最強のランダム・アクセス・プリアンブル信号を有するサブセクタを選択するステップと、
選択された前記サブセクタの中で、前記第１のビーム・パターン（１６）を使用してランダム・アクセス応答を前記モバイル・トランシーバ（２００）に対して送信するステップと、
前記モバイル・トランシーバ（２００）から、前記ランダム・アクセス応答の送信の後にパイロット信号を応答信号として受信するステップ（３６）と、
前記モバイル・トランシーバ（２００）からの前記応答信号に基づいて、第２のビーム・パターン（１８）を決定するステップ（３８）と、
前記第１のビーム・パターン（１６）よりも高いアンテナ利得を有する前記第２のビーム・パターン（１８）を使用して、後続の信号を前記モバイル・トランシーバ（２００）に対して送信するステップ（４０）と、
を含む方法。
【請求項８】
モバイル通信システムのモバイル・トランシーバ（２００）のための方法であって、
複数のアンテナ（２５）に基づいて、複数のサブセクタを含むビーム・パターンの第１の組（２６）を決定するステップ（４２）と、
ビーム・パターンの前記第１の組（２６）からの第１のビーム・パターンを使用して、基地局トランシーバ（１００）の各サブセクタに特有の同期信号を、該基地局トランシーバ（１００）から受信するステップ（４４）と、
前記複数のアンテナ（２５）に基づいて、ビーム・パターンの前記第１の組（２６）よりも多くのビーム・パターンを含むビーム・パターンの第２の組（２８）を決定するステップ（４６）と、
前記同期信号に基づいて、ランダム・アクセス・プリアンブルの送信のための無線リソースに関連した情報を決定するステップと、
ビーム・パターンの前記第２の組（２８）からの第２のビーム・パターンを使用して、また前記同期信号に基づいて決定される前記無線リソースを使用して、ランダム・アクセス・プリアンブルを前記基地局トランシーバ（１００）に対して送信するステップ（４８）と、
を含み、更に、
ダウンリンク測定結果から最良のサブセクタを決定無ステップと、
アップリンクにおけるサブセクタ固有のランダム・アクセス・プリアンブルを用いてその選択を示すステップと、
前記基地局トランシーバからランダム・アクセス応答を受信するステップと、
前記第２のビーム・パターンを用いて、パイロット信号を送信するステップと、
を含む方法。
【請求項９】
コンピュータ・プログラムが、コンピュータ、プロセッサ、またはプログラマブル・ハードウェア・コンポーネントの上で実行されるときに、請求項７または８に記載の方法のうちの少なくとも一方を実行するためのプログラム・コードを有するコンピュータ・プログラム。
【発明の詳細な説明】
【技術分野】
【０００１】
実施形態は、基地局トランシーバと、モバイル・トランシーバとのためのビーム形成装置、方法およびコンピュータ・プログラムに関し、より詳細には、それだけに限定すべきではないが、モバイル通信システムにおける効率的なビーム形成に関する。
【背景技術】
【０００２】
本節は、本発明（単数または複数）についてのよりよい理解を容易にする際に助けとなり得る態様を導入するものである。したがって、本節の陳述は、この観点から読まれるべきであり、また何が先行技術の中にあるか、または何が先行技術の中にないかについての承認として理解されるべきではない。
【０００３】
データ・サービスについての増大する要求とともに、ワイヤレス・システムは、ますます広い帯域幅と、より高い搬送波周波数を使用する傾向がある。例えば、第５世代（５Ｇ）ワイヤレス・アクセスは、一般的に、フェムト・セル・タイプ、ピコ・セル・タイプ、またはメトロ・セル・タイプの展開において、マルチ−Ｇｂｐｓのデータ・レートを提供するミリメートル（ｍｍ）−波周波数を包含することが期待されることもある。自由空間伝搬損失、または経路損失は、より高い周波数において、増大し、またアンテナ指向性を活用することにより、補償されることもある。これは、高利得適応ビーム形成（ＢＦ：ＢｅａｍＦｏｒｍｉｎｇ）問題解決手法を使用して達成される可能性がある。適応ビーム・ステアリングは、例えば、完全なデジタル送信／受信経路を有する各アンテナを装備することにより、完全にデジタルに、アナログ位相シフタによって実装されることもあり、または、例えば、アナログ位相シフタを経由して１組のアンテナに各デジタル送信／受信経路を接続することにより、ハイブリッド・デジタル／アナログ問題解決手法として実施されることもある。基地局アンテナ・アレイは、例えば、８個、１６個、３２個、６４個、またはより多くのアンテナ要素、例えば、とても小さなホーン・アンテナ要素を含むことができる。
【０００４】
ドキュメント米国特許出願２０１３／０３０１４５４  Ａ１は、アナログおよびデジタルのハイブリッド・ビーム形成を使用した通信の方法および装置を説明している。ドキュメント米国特許出願２０１３／０２７２２６３  Ａ１は、基地局についてのワイヤレス送信セクタの複数のスライスの形で、同期信号を送信することにより、基地局と、移動局との間の通信についての時間処理パラメータ、周波数処理パラメータ、および空間処理パラメータを選択することを開示している。
【先行技術文献】
【特許文献】
【０００５】
【特許文献１】米国特許出願２０１３／０３０１４５４  Ａ１
【特許文献２】米国特許出願２０１３／０２７２２６３  Ａ１
【発明の概要】
【発明が解決しようとする課題】
【０００６】
いくつかの簡単化が、以下の概要の中でなされている可能性があり、この概要は、様々な例示の実施形態のいくつかの態様を強調し、また導入することを意図しているが、そのような簡単化は、本発明の範囲を限定することを意図してはいない。当業者が、本発明の概念を作り、また使用することを可能にするために十分である好ましい例示の実施形態についての詳細な説明が、以下の節において、続いているであろう。
【０００７】
様々な実施形態は、基地局トランシーバについての装置、方法、およびコンピュータ・プログラムと、モバイル・トランシーバについての装置、方法、およびコンピュータ・プログラムとを提供している。実施形態は、ユーザ特有のビーム形成されたリンクをセットアップする基地局トランシーバにより、モバイル・トランシーバの獲得のための効率的な概念を提供することができる。実施形態は、ミリメートル−波アクセス・システムにおいて効率的な獲得を提供することができ、このミリメートル−波アクセス・システムは、限られたＢＦ利得に起因してクリティカルと考えられることもあり、この限られたＢＦ利得は、そのような獲得の始めに使用可能である可能性がある。
【課題を解決するための手段】
【０００８】
実施形態は、ある装置を提供しており、この装置は、モバイル通信システムの基地局トランシーバの中で、動作可能である。本装置は、トランシーバ・モジュールを備えており、このトランシーバ・モジュールは、複数のアンテナに対するインターフェースを備えており、これらのアンテナは、送信アンテナおよび／または受信アンテナに対応している可能性がある。トランシーバ・モジュールは、それらのインターフェースを使用して、それら複数のアンテナを複数のサブグループへと細分するように動作可能である。トランシーバ・モジュールは、さらに、サブグループのうちの１つまたは複数のアンテナを使用して、第１のビーム・パターンを形成するように動作可能である。本装置は、制御モジュールをさらに備えており、この制御モジュールは、トランシーバ・モジュールと、第１のビーム・パターンとを使用して、同期信号を送信するように動作可能である。制御モジュールは、さらに、トランシーバ・モジュールを使用して、モバイル・トランシーバから同期信号の送信の後に、応答信号を受信するように動作可能である。制御モジュールは、さらに、モバイル・トランシーバからの応答信号に基づいて、第２のビーム・パターンを決定するように動作可能であり、また制御モジュールは、第２のビーム・パターンと、トランシーバ・モジュールとを使用してモバイル・トランシーバに対して信号を送信するように動作可能である。第２のビーム・パターンは、第１のビーム・パターンよりも高いアンテナ利得を有している。例えば、第２のビーム・パターンは、第１のビーム・パターンよりもより多くのアンテナを使用することができる。
【０００９】
実施形態は、基地局トランシーバが、モバイル・トランシーバからの同期信号に対する応答の受信の後に、ＢＦ利得を増大させることを可能にすることができる。言い換えれば、基地局トランシーバは、低減されたＢＦ利得を使用して、モバイル・トランシーバから応答信号を受信し、またより高い利得ＢＦを前記応答に基づいたものにすることができる。
【００１０】
いくつかの実施形態においては、アンテナは、基地局トランシーバのセクタを対象として含む個別のビーム・パターンを使用することができる。第１のビーム・パターンは、セクタのうちのサブセクタに対応している可能性がある。制御モジュールは、アンテナの個別のビーム・パターン、または第１のビーム・パターンを使用して、同期信号を送信するように動作可能とすることができる。言い換えれば、いくつかの実施形態においては、同期信号は、セクタ、またはセクタの中のサブセクタの形で送信されることもある。いくつかの実施形態は、サブセクタ化を使用したモバイル・トランシーバからの同期信号および／またはその応答についてＢＦ利得を活用することを可能にすることができる。いくつかの実施形態は、モバイル・トランシーバが、同期信号による異なるサブセクタを区別することができるように、異なるサブセクタにおいて異なる同期信号を使用することができる。次には、モバイル・トランシーバは、基地局トランシーバが、どのサブセクタの同期信号が、応答を搬送する無線リソースからモバイル・トランシーバによって受信されたかを決定することができるように、例えば、サブセクタ特有の無線リソースの上で、応答表示を送信することにより、異なる応答信号を使用することができる。実施形態は、効率的なサブセクタ検出を可能にすることができる。
【００１１】
いくつかの実施形態においては、制御モジュールは、アンテナの個別のビーム・パターンを使用して同期信号を送信するように動作可能とすることができ、例えば、同期信号は、全体のセクタを通して送信されることもある。例えば、サブセクタは、少なくとも何らかのＢＦ利得が、応答信号のために実現されることもあるように、モバイル・トランシーバから応答信号を受信するために使用されることもある。いくつかの実施形態においては、アンテナは、基地局トランシーバのセクタを対象として含む個別のビーム・パターンを使用することができる。トランシーバ・モジュールは、セクタを対象として含むサブセクタを含むビーム・パターンの第１の組を形成するように動作可能とすることができ、また第１のビーム・パターンは、そのようなサブセクタに対応している可能性がある。
【００１２】
いくつかの実施形態においては、制御モジュールは、セクタの複数のサブセクタについての同期信号を送信するように動作可能とすることができる。追加として、または代わりに、制御モジュールは、ビーム・パターンの第１の組からサブセクタを決定するように動作可能とすることもでき、ビーム・パターンのこの第１の組は、モバイル・トランシーバの応答信号の最高の受信信号品質を提供する。制御モジュールは、第１のビーム・パターンとして、最高の受信信号品質を有するサブセクタを選択するように動作可能とすることができる。言い換えれば、制御モジュールは、サブセクタの組をスキャンして、応答信号についての最高の受信信号品質を有するサブセクタを決定することができ、このサブセクタは、次いで、第１のビーム・パターンとして選択されることもある。実施形態は、効率的なサブセクタ決定を可能にすることができる。
【００１３】
制御モジュールは、第１のビーム・パターンを使用して、モバイル・トランシーバからのランダム・アクセス・プリアンブル信号を受信するように動作可能とすることができる。制御モジュールは、さらに、第１のビーム・パターンを使用して、ランダム・アクセス応答をモバイル・トランシーバに対して送信し、またモバイル・トランシーバからパイロット信号を受信するように動作可能とすることができる。制御モジュールは、さらに、パイロット信号に基づいて、第２のビーム・パターンを決定し、また第２のビーム・パターンを使用して、後続の信号を送信するように動作可能とすることができる。それゆえに、いくつかの実施形態においては、モバイル・トランシーバによって送信され、また基地局において受信されるパイロット信号または基準信号を使用して、第２のビーム・パターンを決定することができる。
【００１４】
いくつかの実施形態においては、制御モジュールは、第１のビーム・パターンを使用して、モバイル・トランシーバからの１つまたは複数のランダム・アクセス・プリアンブル信号を受信するように動作可能とすることができる。制御モジュールは、１つまたは複数のランダム・アクセス・プリアンブル信号に基づいて、第２のビーム・パターンを決定し、また第２のビーム・パターンを使用してランダム・アクセス応答をモバイル・トランシーバに対して送信するように動作可能とすることができる。それゆえに、いくつかの実施形態においては、モバイル・トランシーバによって送信され、また基地局において受信されるランダム・アクセス・プリアンブル信号を使用して、第２のビーム・パターンを決定することができ、この第２のビーム・パターンは、次いで、モバイル・トランシーバに対してランダム・アクセス応答を送信するために使用される可能性がある。
【００１５】
トランシーバ・モジュールは、いくつかのさらなる実施形態において、アナログＢＦを使用して、第１のビーム・パターンを形成するように動作可能とすることができ、また制御モジュールは、デジタルＢＦを使用して、第２のビーム・パターンを形成するように動作可能とすることができる。実施形態は、アナログＢＦと、デジタルＢＦとの効率的な組合せを可能にすることができる。いくつかの実施形態においては、トランシーバ・モジュールは、アナログＢＦを使用して、第１のビーム・パターンと、第２のビーム・パターンとを形成するように動作可能とすることができる。制御モジュールは、トランシーバ・モジュールにおいて、ビーム・パターンを選択するように動作可能とすることができる。実施形態は、それゆえに、アナログＢＦの効率的な利用を可能にすることができる。
【００１６】
制御モジュールは、その後に、ますます狭くなるビーム・パターンを評価することにより、第２のビーム・パターンを繰り返して決定するように動作可能とすることができる。言い換えれば、制御モジュールは、より広いビーム・パターンの組から、１つのより広いビーム・パターンを最初に選択するように動作可能とすることができ、また次いで、以前に選択された、より広いビーム・パターンの内部で、より狭いビーム・パターンを選択することができる。その後に、制御モジュールは、より狭いビーム・パターンの内部で、より狭くさえあるビーム・パターンを選択することができ、以下同様である。実施形態は、階層的ビーム・パターン選択と、効率的なビーム選択とを可能にすることができる。
【００１７】
いくつかの実施形態においては、制御モジュールは、同期信号に対する第１の所定のタイム・スロットにおいて、トランシーバ・モジュールを使用して、モバイル・トランシーバから同期信号に対する応答信号を受信するように動作可能とすることができる。制御モジュールは、第１のタイム・スロットとは異なる第２の所定のタイム・スロットにおいて、トランシーバ・モジュールを使用して、モバイル・トランシーバに特有の制御データを送信するように動作可能とすることができる。実施形態は、時分割多重化されたやり方で、例えば、時分割二重化システムにおいて、効率的な獲得を可能とすることができる。
【００１８】
実施形態は、さらに、ある装置を提供しており、この装置は、モバイル通信システムのモバイル・トランシーバにおいて、動作可能である。モバイル・トランシーバは、ビーム形成を実行するように動作可能である。モバイル・トランシーバ装置は、トランシーバ・モジュールを備えており、このトランシーバ・モジュールは、複数のアンテナに対するインターフェースを備えており、これらのアンテナは、送信アンテナおよび／または受信アンテナに対応している可能性がある。モバイル・トランシーバ装置は、制御モジュールを備えており、この制御モジュールは、複数のアンテナに基づいて、ビーム・パターンの第１の組を決定するように動作可能である。制御モジュールは、さらに、トランシーバ・モジュールを使用して、ビーム・パターンの第１の組からの第１のビーム・パターンを使用した信号を、基地局トランシーバから受信するように動作可能である。制御モジュールは、さらに、複数のアンテナに基づいて、ビーム・パターンの第２の組を決定するように動作可能である。ビーム・パターンの第２の組は、ビーム・パターンの第１の組よりもより多くのビーム・パターンを含んでいる。制御モジュールは、さらに、第２のビーム・パターンを使用して、またトランシーバ・モジュールを使用して、基地局トランシーバに対して信号を送信するように動作可能である。実施形態は、モバイル・トランシーバにおいて、効率的なＢＦを可能にすることができる。
【００１９】
いくつかの実施形態においては、制御モジュールは、基地局トランシーバからの信号として同期信号を受信し、またその同期信号に基づいて、ランダム・アクセス・プリアンブルの送信のために、無線リソースに関連した情報を決定するように動作可能とすることができる。制御モジュールは、さらに、同期信号に基づいて決定される無線リソースを使用して、ランダム・アクセス・プリアンブルを基地局トランシーバに対して送信するように動作可能とすることができる。
【００２０】
上記に沿って、いくつかの実施形態においては、制御モジュールは、トランシーバ・モジュールを使用して、ビーム・パターンの第１の組からの第１のビーム・パターンを使用した、基地局トランシーバからの信号として、同期信号を受信するように動作可能とすることができる。制御モジュールは、さらに、第２のビーム・パターンを使用して、またトランシーバ・モジュールを使用して、ランダム・アクセス・プリアンブルを基地局トランシーバに対して送信するように動作可能とすることができる。いくつかの実施形態においては、制御モジュールは、トランシーバ・モジュールを使用して、ビーム・パターンの第１の組からの第１のビーム・パターンを使用した、基地局トランシーバからの信号として同期信号を受信し、また第１のビーム・パターンを使用して、またトランシーバ・モジュールを使用して、ランダム・アクセス・プリアンブルを基地局トランシーバに対して送信するように動作可能とすることができる。制御モジュールは、さらに、第１のビーム・パターンを使用して、またトランシーバ・モジュールを使用して、ランダム・アクセス応答を受信し、また第２のビーム・パターンを使用して、またトランシーバ・モジュールを使用して、パイロット信号を送信するように動作可能とすることができる。
【００２１】
実施形態は、さらに、モバイル通信システムの基地局トランシーバのための方法を提供している。本方法は、複数のアンテナを複数のサブグループへと細分するステップと、サブグループのうちの１つまたは複数のアンテナを使用して、第１のビーム・パターンを形成するステップとを含む。本方法は、第１のビーム・パターンを使用して、同期信号を送信するステップと、トランシーバ・モジュールを使用して、モバイル・トランシーバから同期信号の送信の後に応答信号を受信するステップとをさらに含む。本方法は、モバイル・トランシーバからの応答信号に基づいて、第２のビーム・パターンを決定するステップと、第２のビーム・パターンを使用して、モバイル・トランシーバに対して信号を送信するステップとをさらに含む。第２のビーム・パターンは、第１のビーム・パターンよりも高いアンテナ利得を有している。
【００２２】
実施形態は、さらに、モバイル通信システムのモバイル・トランシーバのための方法を提供している。本方法は、複数の送信アンテナおよび／または受信アンテナに基づいて、ビーム・パターンの第１の組を決定するステップと、ビーム・パターンの第１の組からの第１のビーム・パターンを使用した信号を、基地局トランシーバから受信するステップとを含む。本方法は、複数のアンテナに基づいて、ビーム・パターンの第２の組を決定するステップをさらに含む。ビーム・パターンの第２の組は、ビーム・パターンの第１の組よりも多くのビーム・パターンを含んでいる。本方法は、第２のビーム・パターンを使用して信号を基地局トランシーバに対して送信するステップをさらに含む。
【００２３】
実施形態は、コンピュータ・プログラムが、コンピュータ、プロセッサ、またはプログラマブル・ハードウェア・コンポーネントの上で実行されるときに、さらに、１つまたは複数の上記で説明された方法を実行するためのプログラム・コードを有するコンピュータ・プログラムを提供している。さらなる一実施形態は、コンピュータ、プロセッサ、またはプログラマブル・ハードウェア・コンポーネントによって実行されるときに、コンピュータに、本明細書において説明される方法のうちの１つを実装するようにさせる命令を記憶するコンピュータ読み取り可能ストレージ媒体である。
【００２４】
いくつかの他の特徴または態様は、例だけとして、装置、もしくは方法、またはコンピュータ・プログラム、あるいはコンピュータ・プログラム製品についての以下の非限定的な実施形態を使用して、また添付の図面を参照して説明されるであろう。
【図面の簡単な説明】
【００２５】
【図１】基地局トランシーバのための装置についての一実施形態のブロック図である。
【図２】基地局トランシーバにおけるミリメートル波ビームフォーマについての一実施形態のブロック図である。
【図３】一実施形態のダウンリンク・タイミング図である。
【図４】一実施形態における階層的なサブセクタ化を示す図である。
【図５】モバイル・トランシーバのための装置の一実施形態のブロック図である。
【図６】基地局トランシーバのための方法についての一実施形態のフロー・チャートのブロック図である。
【図７】モバイル・トランシーバのための方法についての一実施形態のフロー・チャートのブロック図である。
【発明を実施するための形態】
【００２６】
様々な例示の実施形態は、次に、いくつかの例示の実施形態が示される添付の図面を参照してより十分に説明されるであろう。図面の中で、線、層、または領域の厚さは、明確にするために、誇張されることもある。
【００２７】
それに応じて、例示の実施形態は、様々な修正形態、および代替的な形態とすることができるが、その実施形態は、図面の中で例として示されており、また本明細書において、詳細に説明されるであろう。しかしながら、例示の実施形態を開示される特定の形態だけに限定する意図はないが、反対に、例示の実施形態は、本発明の範囲内に含まれるすべての修正形態と、同等形態と、代替形態とを対象として含むべきであることを理解すべきである。同様な番号は、図面の説明全体を通して、同様な要素、または類似した要素を指す。
【００２８】
本明細書において使用される場合、用語「論理和（ｏｒ）」は、それ以外の方法（例えば、「排他的論理和（ｏｒ  ｅｌｓｅ）」または「代替的な形の論理和（ｏｒ  ｉｎ  ｔｈｅ  ａｌｔｅｒｎａｔｉｖｅ）」）で示されていない限り、非排他的論理和（ｎｏｎ−ｅｘｃｌｕｓｉｖｅ  ｏｒ）のことを指す。さらに、本明細書において使用される場合、複数の要素の間の関係を説明するために使用される単語は、それ以外の方法で示されていない限り、直接の関係、または介在する要素の存在を含むように、広く解釈されるべきである。例えば、ある要素が、別の要素に対して、「接続され」ている、または「結合され」ていると称されるときに、その要素は、他の要素に対して直接に接続され、または結合されることもあり、あるいは介在する要素が、存在していてもよい。対照的に、ある要素が、別の要素に、「直接に接続され」ている、または「直接に結合され」ていると称されるときには、介在する要素は、存在していない。同様に、「間に（ｂｅｔｗｅｅｎ）」、「隣接して（ａｄｊａｃｅｎｔ）」などの単語は、同様なやり方で、解釈されるべきである。
【００２９】
本明細書において使用される専門用語は、特定の実施形態を説明する目的のためだけであり、例示の実施形態について限定することを意図してはいない。本明細書において使用される場合、単数形の形式「１つの（ａ）」、「１つの（ａｎ）」、および「その（ｔｈｅ）」は、文脈が、明らかにそうでない場合を示していない限り、同様に複数形の形式を含むことを意図している。用語「備える／含む（ｃｏｍｐｒｉｓｅｓ）」、「備えている／含んでいる（ｃｏｍｐｒｉｓｉｎｇ）」、「含む（ｉｎｃｌｕｄｅｓ）」、または「含んでいる（ｉｎｃｌｕｄｉｎｇ）」は、本明細書において使用されるときに、述べられた機能、整数、ステップ、オペレーション、要素、またはコンポーネントの存在を指定するが、１つまたは複数の他の機能、整数、ステップ、オペレーション、要素、コンポーネント、またはそれらのグループの存在もしくは追加を除外するものではないことが、さらに理解されるであろう。
【００３０】
それ以外の方法で規定されていない限り、本明細書において使用されるすべての用語（技術的用語および科学的用語を含む）は、例示の実施形態が属する当業者によって一般的に理解されるような同じ意味を有している。用語、例えば、一般的に使用される辞書の中で規定されるこれらの用語は、関連のある技術の文脈でそれらの意味と整合している意味を有するように解釈されるべきであり、また本明細書において明示的にそのように規定されていない限り、理想化された意味で、または過度に形式的な意味で解釈されることにはならないことが、さらに理解されるであろう。
【００３１】
以下では、基地局トランシーバと、モバイル・トランシーバとのための装置、方法、およびコンピュータ・プログラムについてのいくつかの実施形態が、説明されるであろう。図１は、基地局トランシーバ１００についての装置１０の一実施形態のブロック図を示すものである。言い換えれば、装置１０は、基地局トランシーバ１００に適応させられることもあり、または基地局トランシーバ１００の中で動作可能とすることができ、装置１０は、基地局トランシーバ１００の中で動作させられ、または基地局トランシーバ１００に含まれることもある。実施形態はまた、装置１０を備えている基地局トランシーバ１００を提供することもできる。図１は、さらに、装置１０を備えている基地局トランシーバ１００の一実施形態（破線）を示すものである。基地局トランシーバ１００は、モバイル通信システムの中で、動作することができる。言い換えれば、基地局トランシーバ１００と、その装置１０とは、それぞれ、モバイル通信システムに準拠するように、適合させられ、動作可能であり、または構成されている可能性がある。
【００３２】
モバイル通信システムは、例えば、第３世代パートナーシップ・プロジェクト（３ＧＰＰ：Ｔｈｉｒｄ  Ｇｅｎｅｒａｔｉｏｎ  Ｐａｒｔｎｅｒｓｈｉｐ  Ｐｒｏｊｅｃｔ）で標準化されたモバイル通信ネットワークのうちの１つに対応している可能性があり、ここで、モバイル通信システムという用語は、モバイル通信ネットワークに対する同義語として使用される。モバイル通信システムまたはワイヤレス通信システムは、例えば、ロング・ターム・エボリューション（ＬＴＥ：Ｌｏｎｇ−Ｔｅｒｍ  Ｅｖｏｌｕｔｉｏｎ）、ＬＴＥ進化型（ＬＴＥ−Ａ：ＬＴＥ−Ａｄｖａｎｃｅｄ）、高速パケット・アクセス（ＨＳＰＡ：Ｈｉｇｈ  Ｓｐｅｅｄ  Ｐａｃｋｅｔ  Ａｃｃｅｓｓ）、ユニバーサル・モバイル・テレコミュニケーション・システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）またはＵＭＴＳ地上波無線アクセス・ネットワーク（ＵＴＲＡＮ：ＵＭＴＳ  Ｔｅｒｒｅｓｔｒｉａｌ  Ｒａｄｉｏ  Ａｃｃｅｓｓ  Ｎｅｔｗｏｒｋ）、進化型−ＵＴＲＡＮ（ｅ−ＵＴＲＡＮ：ｅｖｏｌｖｅｄ−ＵＴＲＡＮ）、移動通信用グローバル・システム（ＧＳＭ：Ｇｌｏｂａｌ  Ｓｙｓｔｅｍ  ｆｏｒ  Ｍｏｂｉｌｅ  ｃｏｍｍｕｎｉｃａｔｉｏｎ）またはＧＳＭエボリューションのための拡張データ・レート（ＥＤＧＥ：Ｅｎｈａｎｃｅｄ  Ｄａｔａ  ｒａｔｅｓ  ｆｏｒ  ＧＳＭ  Ｅｖｏｌｕｔｉｏｎ）ネットワーク、ＧＳＭ／ＥＤＧＥ無線アクセス・ネットワーク（ＧＥＲＡＮ：ＧＳＭ／ＥＤＧＥ  Ｒａｄｉｏ  Ａｃｃｅｓｓ  Ｎｅｔｗｏｒｋ）、あるいは異なる規格を有するモバイル通信ネットワーク、例えば、マイクロ波アクセスのためのワールドワイド・インターオペラビリティ（ＷＩＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）ネットワーク  ＩＥＥＥ  ８０２．１６またはワイヤレス・ローカル・エリア・ネットワーク（ＷＬＡＮ：Ｗｉｒｅｌｅｓｓ  Ｌｏｃａｌ  Ａｒｅａ  Ｎｅｔｗｏｒｋ）  ＩＥＥＥ  ８０２．１１、一般には、直交周波数分割多元接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）ネットワーク、時分割多元接続（ＴＤＭＡ：Ｔｉｍｅ  Ｄｉｖｉｓｉｏｎ  Ｍｕｌｔｉｐｌｅ  Ａｃｃｅｓｓ）ネットワーク、符号分割多元接続（ＣＤＭＡ：Ｃｏｄｅ  Ｄｉｖｉｓｉｏｎ  Ｍｕｌｔｉｐｌｅ  Ａｃｃｅｓｓ）ネットワーク、広帯域−ＣＤＭＡ（ＷＣＤＭＡ：Ｗｉｄｅｂａｎｄ−ＣＤＭＡ）ネットワーク、周波数分割多元接続（ＦＤＭＡ：Ｆｒｅｑｕｅｎｃｙ  Ｄｉｖｉｓｉｏｎ  Ｍｕｌｔｉｐｌｅ  Ａｃｃｅｓｓ）ネットワーク、空間分割多元接続（ＳＤＭＡ：Ｓｐａｔｉａｌ  Ｄｉｖｉｓｉｏｎ  Ｍｕｌｔｉｐｌｅ  Ａｃｃｅｓｓ）ネットワークなどに対応している可能性がある。
【００３３】
基地局トランシーバは、１つまたは複数のアクティブなモバイル・トランシーバと通信するように動作可能とすることができ、また基地局トランシーバは、別の基地局トランシーバの、例えば、マクロ・セル基地局トランシーバまたはスモール・セル・基地局トランシーバのカバレッジ・エリアの中に、またはカバレッジ・エリアに隣接して位置していることができる。それゆえに、実施形態は、１つまたは複数のモバイル・トランシーバと、１つまたは複数の基地局トランシーバとを備えているモバイル通信システムを提供することができ、そこでは、基地局トランシーバは、例えば、ピコ・セル、メトロ・セル、またはフェムト・セルとして、マクロ・セルまたはスモール・セルを確立することができる。モバイル・トランシーバは、スマートフォン、セル電話、ユーザ機器、ラップトップ、ノートブック、パーソナル・コンピュータ、携帯型個人情報端末（ＰＤＡ：Ｐｅｒｓｏｎａｌ  Ｄｉｇｉｔａｌ  Ａｓｓｉｓｔａｎｔ）、ユニバーサル・シリアル・バス（ＵＳＢ：Ｕｎｉｖｅｒｓａｌ  Ｓｅｒｉａｌ  Ｂｕｓ）−スティック、自動車などに対応している可能性がある。モバイル・トランシーバはまた、３ＧＰＰ専門用語に沿って、ユーザ機器（ＵＥ：Ｕｓｅｒ  Ｅｑｕｉｐｍｅｎｔ）またはモバイルと称されることもある。
【００３４】
基地局トランシーバは、ネットワークまたはシステムの固定部分または静止部分の中に位置している可能性がある。基地局トランシーバは、リモート無線ヘッド、送信ポイント、アクセス・ポイント、マクロ・セル、スモール・セル、マイクロ・セル、フェムト・セル、メトロ・セルなどに対応している可能性がある。基地局トランシーバは、有線ネットワークのワイヤレス・インターフェースとすることができ、このワイヤレス・インターフェースは、ＵＥまたはモバイル・トランシーバに対する無線信号の送信を可能にしている。そのような無線信号は、例えば、３ＧＰＰによって標準化されるような、または一般に、１つまたは複数の上記でリストアップされたシステムと沿うように、無線信号に準拠している可能性がある。したがって、基地局トランシーバは、ノードＢ（ＮｏｄｅＢ）、ｅノードＢ、基地トランシーバ局（ＢＴＳ：Ｂａｓｅ  Ｔｒａｎｓｃｅｉｖｅｒ  Ｓｔａｔｉｏｎ）、アクセス・ポイント、リモート無線ヘッド、送信ポイントなどに対応している可能性があり、これらは、さらに、リモート・ユニットと、中央ユニットとにさらに細分されることもある。
【００３５】
モバイル・トランシーバは、基地局トランシーバまたはセルに関連づけられ、キャンプさせられ、あるいは登録される可能性がある。セルという用語は、基地局トランシーバ、例えば、ノードＢ（ＮＢ）、ｅノードＢ（ｅＮＢ）、リモート無線ヘッド、送信ポイントなどによって提供される無線サービスのカバレッジ・エリアのことを意味している。基地局トランシーバは、１つまたは複数の周波数レイヤの上で、１つまたは複数のセルを動作させることができ、いくつかの実施形態においては、セルは、セクタに対応している可能性がある。例えば、セクタは、セクタ・アンテナを使用して、達成される可能性があり、これらのセクタ・アンテナは、リモート・ユニットまたは基地局トランシーバの周囲の角度セクションを対象として含むための特性を提供する。いくつかの実施形態においては、基地局トランシーバは、例えば、１２０°（３つのセルの場合）、６０°（６つのセルの場合）のセクタをそれぞれ対象として含む、３つのセル、または６つのセルを動作させることができる。基地局トランシーバは、複数のセクタ化されたアンテナを動作させることができる。以下では、セルは、そのセルを生成する、それに応じた基地局トランシーバを表すことができ、あるいは同様にして、基地局トランシーバは、基地局トランシーバが生成するセルを表すことができる。
【００３６】
言い換えれば、実施形態においては、モバイル通信システムは、ＨｅｔＮｅｔに対応している可能性があり、このＨｅｔＮｅｔは、異なるセル・タイプ、すなわち、閉鎖的加入者グループ（ＣＳＧ：Ｃｌｏｓｅｄ  Ｓｕｂｓｃｒｉｂｅｒ  Ｇｒｏｕｐ）セルおよびオープン・セルと、異なるサイズのセルとを、例えば、マクロ・セルおよびスモール・セルとして利用しており、ここで、スモール・セルのカバレッジ・エリアは、マクロ・セルのカバレッジ・エリアよりも小さい。スモール・セルは、メトロ・セル、マイクロ・セル、ピコ・セル、フェムト・セルなどに対応している可能性がある。そのようなセルは、それらのカバレッジ・エリアがそれらの送信電力と干渉状態とによって決定される基地局トランシーバによって確立される。いくつかの実施形態においては、スモール・セルのカバレッジ・エリアは、別の基地局トランシーバによって確立される、マクロ・セルのカバレッジ・エリアによって少なくとも部分的に周囲を取り囲まれる可能性がある。スモール・セルは、ネットワークの容量を拡張するように展開される可能性がある。メトロ・セルは、それゆえに、それを使用して、マクロ・セルよりも小さなエリアを対象として含むことができ、例えば、メトロ・セルは、大都市エリアの中の街路またはセクションを対象として含むことができる。マクロ・セルでは、カバレッジ・エリアは、１キロメートルまたは複数キロメートルの程度の直径を有することができ、マイクロ・セルでは、カバレッジ・エリアは、１キロメートルより短い直径を有することができ、またピコ・セルでは、カバレッジ・エリアは、１００ｍよりも短い直径を有することができる。フェムト・セルは、最小のセルとすることができ、またそのフェムト・セルを使用して、住居、または空港におけるゲート・セクションを対象として含むことができ、すなわち、フェムト・セルのカバレッジ・エリアは、５０ｍよりも短い直径を有することができる。このようにして、基地局トランシーバはまた、セルと称されることもある。
【００３７】
図１に示されるように、基地局トランシーバ装置１０は、トランシーバ・モジュール１２を備えており、このトランシーバ・モジュールは、複数のアンテナに対するインターフェースをさらに備えており、これらの複数のアンテナは、送信アンテナおよび／または受信アンテナに対応している可能性がある。複数のアンテナは、図１の中で、トランシーバ・モジュール１２のインターフェースに接続された送信／受信アンテナのアレイ１５によって示される。トランシーバ・モジュール１２は、１つまたは複数のトランシーバ・デバイス、１つまたは複数のトランシーバ・ユニット、送受信するための、すなわち、受信するための、かつ／または送信するための任意の手段などに対応している可能性があり、またトランシーバ・モジュール１２は、１つまたは複数の低雑音増幅器（ＬＮＡ：Ｌｏｗ−Ｎｏｉｓｅ  Ａｍｐｌｉｆｉｅｒｓ）、１つまたは複数の電力増幅器（ＰＡ：Ｐｏｗｅｒ  Ａｍｐｌｉｆｉｅｒｓ）、１つまたは複数のフィルタまたはフィルタ回路、１つまたは複数のダイプレクサ、１つまたは複数のデュプレクサ、１つまたは複数のアナログ・デジタル変換器（Ａ／Ｄ：Ａｎａｌｏｇ−ｔｏ−Ｄｉｇｉｔａｌ  ｃｏｎｖｅｒｔｅｒｓ）、１つまたは複数のデジタル・アナログ変換器（Ｄ／Ａ：Ｄｉｇｉｔａｌ−ｔｏ−Ａｎａｌｏｇ  ｃｏｎｖｅｒｔｅｒｓ）、１つまたは複数の変調器もしくは復調器、１つまたは複数のミキサなどのグループのうちの１つまたは複数の要素など、典型的なレシーバ・コンポーネントと、トランスミッタ・コンポーネントとを備えていることができる。
【００３８】
図１に示される実施形態においては、トランシーバ・モジュール１２は、インターフェースを使用して複数のサブグループへと複数の送信／受信アンテナ１５を細分するように動作可能である。さらに、トランシーバ・モジュール１２は、サブグループの１つまたは複数の送信／受信アンテナを使用して、第１のビーム・パターン１６を形成するように動作可能である。基地局トランシーバ装置１０は、制御モジュール１４をさらに備えており、この制御モジュール１４は、トランシーバ・モジュール１２に結合される。制御モジュール１４は、トランシーバ・モジュール１２と、第１のビーム・パターンとを使用して、同期信号を送信するように動作可能である。制御モジュール１４は、さらに、トランシーバ・モジュール１２を使用して、モバイル・トランシーバ２００から同期信号の送信の後に、応答信号を受信するように動作可能である。さらに、制御モジュール１４は、モバイル・トランシーバ２００からの応答信号に基づいて第２のビーム・パターン１８を決定するように動作可能である。第２のビーム・パターン１８は、第１のビーム・パターン１６よりも高いアンテナ利得を有している。例えば、第２のビーム・パターン１８は、第１のビーム・パターン１６よりも多くの送信／受信アンテナを使用することができる。制御モジュール１４は、さらに、第２のビーム・パターン１８と、トランシーバ・モジュール１２とを使用して、信号をモバイル・トランシーバ２００に対して送信するように動作可能である。図１においては、第１のビーム・パターン１６と、第２のビーム・パターン１８とが、示され、また第２のビーム・パターン１８が、第１のビーム・パターン１６よりも高いアンテナ利得またはＢＦ利得を提供することができること、および第２のビーム・パターン１８が第１のビーム・パターン１６よりも狭い可能性があることもまた、示される。
【００３９】
実施形態においては、制御モジュール１４は、それに応じて適合されたソフトウェアとともに動作可能であるプロセッサ、コンピュータ、プログラマブル・ハードウェア・コンポーネントなど、１つまたは複数の制御ユニット、制御デバイス、制御するための任意の手段を使用して、実装されることもある。言い換えれば、制御モジュール１４の上記で説明された機能は、同様に、ソフトウェアの形で実装されることもあり、このソフトウェアは、次いで、１つまたは複数のプログラマブル・ハードウェア・コンポーネントの上で実行される。そのようなハードウェア・コンポーネントは、汎用プロセッサ、デジタル信号プロセッサ（ＤＳＰ：Ｄｉｇｉｔａｌ  Ｓｉｇｎａｌ  Ｐｒｏｃｅｓｓｏｒ）、マイクロ・コントローラなどを備えていることができる。複数１５の送信／受信アンテナに接続するために使用されるトランシーバ・モジュール１２のインターフェースは、任意の適切なインターフェース、例えば、同軸ワイヤを使用した高周波数インターフェースに対応している可能性があり、他の実施形態においては、複数１５のアンテナのうちの少なくともいくつかは、インターフェースが、リモートに位置しているアンテナに対する光学的インターフェースに対応している可能性があるように、リモートなロケーションに位置している可能性があり、これは、依然として、上記で説明されたサブグループ化と、ＢＦとを可能にするであろう。
【００４０】
上記で述べられているように、実施形態は、ＢＦを利用し、このＢＦは、個別の送信／受信アンテナによって送信される信号の規定された重ね合わせ、または制御された重ね合わせを達成する信号処理手段として、理解されるべきである。例えば、複数１５の送信／受信アンテナの幾何学的形状は、線形アンテナ・アレイ、円形アンテナ・アレイ、三角形アンテナ・アレイ、任意の二次元アンテナ・アレイまたはフィールド、あるいはアンテナ要素の間の幾何学的関係が、知られており、または制御される限りの場合には、任意のアンテナ・アレイにさえも対応している可能性がある。いくつかの実施形態においては、複数１５のアンテナ要素、または送信／受信アンテナは、一様な線形アンテナ・アレイに対応している可能性があり、そこでは、送信／受信アンテナが、一様に間隔をおいて配置されており、またそこでは、２つのアンテナ要素の間の距離は、例えば、これらのアンテナを使用して送信される／受信される信号の搬送波周波数の波長の２分の１に対応している可能性がある。ＢＦについて知られているように、同じ信号の位相シフトされたバージョンを異なるアンテナに対して提供することにより、送信された信号の建設的な重ね合わせと、破壊的な重ね合わせとは、これらのアンテナに関して、異なる角度方向について達成されることもある。アンテナが使用される数が、多くなればなるほど、全体のビーム形成利得は、より高くなり、また形成され得るビームは、より狭くなる。実施形態においては、送信／受信アンテナまたは送信／受信アンテナ要素は、基地局トランシーバ１００のセクタまたはセルを対象として含む個別のビーム・パターンを、例えば、１２０°のセクタまたはセルを対象として含むべき９０°の電力半値ビーム幅アンテナ・パターンを使用することができる。
【００４１】
実施形態においては、第１のビーム・パターン１６は、そのようなセクタのうちのサブセクタに対応している可能性があり、また制御モジュール１４は、送信／受信アンテナの個別のビーム・パターン、または第１のビーム・パターン１６を使用して、同期信号を送信するように動作可能とすることができる。言い換えれば、個別のアンテナは、ある種のビーム幅を有する、例えば、９０°、１２０°などの電力半値ビーム幅を有するアンテナに対応している可能性がある。送信／受信アンテナの個別のビーム・パターンは、次いで、第１のビーム・パターン１６と同様に、ＢＦに影響を及ぼす可能性がある。例えば、第１のビーム・パターン１６は、１２０°の電力半値ビーム幅を有する２つのアンテナ要素を使用して形成されることもある。制御モジュール１４は、例えば、１２０°の電力半値ビーム幅、または第１のビーム・パターン１６を用いて、１つの単一アンテナを使用して同期信号を送信するように動作可能とすることができ、この第１のビーム・パターン１６は、フル・セクタよりも狭い可能性がある。それゆえに、いくつかの実施形態においては、第１のビーム・パターン１６は、セクタのサブセクタに対応している可能性がある。
【００４２】
いくつかの実施形態においては、送信／受信アンテナは、基地局トランシーバ１００のセクタを対象として含む個別のビーム・パターンを使用することができる。トランシーバ・モジュール１２は、セクタを対象として含む複数のサブセクタを含むビーム・パターンの第１の組を形成するように動作可能とすることができ、また第１のビーム・パターン１６は、サブセクタに対応している可能性がある。すなわち、第１のビーム・パターン１６は、サブセクタの組のうちの１つに対応している可能性があり、そこでは、サブセクタの組は、基地局トランシーバ１００の全体のセクタを対象として含んでいる。
【００４３】
図２は、Ｋ個のデジタル経路を有するハイブリッド・アナログ／デジタルＢＦトランシーバのブロック図を示すものであり、ここで、各デジタル経路は、Ｌ個のアンテナ要素の（互いに素な）サブアレイに接続される。言い換えれば、図２に示される実施形態においては、複数１５のアンテナ要素は、Ｌ×Ｋのアンテナ要素１５のフィールド・アレイとして実装される。さらに、複数１５のアンテナ要素は、サブグループへと細分され、ここで、サブグループのうちのそれぞれに対して、それはまた、サブアレイと称される。図２に示される実施形態においては、トランシーバ・モジュール１２は、アナログＢＦ機能を備えており、ここで、独立したアナログＢＦが、信号の送信および受信のために、各サブアレイの内部で適用される可能性があることが、仮定されることもある。本実施形態においては、制御モジュール１４は、デジタルＢＦを実行し、このデジタルＢＦは、次いで、サブアレイを使用して適用される。図２においては、制御モジュール１４は、サブアレイ１．．Ｋ当たりに１つのＤ／Ａ変換器を備えており、また制御モジュール１４が、それに応じた経路において適合された複雑な重みｗｄ１．．ｗｄＫを適用することが、仮定される。制御モジュール１４は、さらにある種の程度まで、トランシーバ・モジュール１４においてアナログＢＦを制御するように動作可能とすることができることに注意すべきである。例えば、制御モジュール１４、または別の制御エンティティは、例えば、それぞれが、ｍビットを有するＫ個のデジタル制御インターフェースを用いて、アナログＢＦ重みを調整する役割を担い、または万一アナログ・バトラー行列が、アナログＢＦのために適用される場合には、入力ポート（単数または複数）を選択する役割を担うことができる。
【００４４】
トランシーバ・モジュール１２は、アナログＢＦを適用し、このアナログＢＦは、例えば、アナログ位相シフタ、またはバトラー行列を使用して実行されることもある。言い換えれば、図２に示される実施形態においては、トランシーバ・モジュール１２は、各サブアレイを使用して、ある種のビーム、ビームの組をそれぞれ形成するために、各サブアレイの内部でアナログＢＦ重みを適用する。それに応じたアナログ重みの適用が、それぞれの信号との重みｗａ１１．．ｗａＫＬのアナログ乗算を用いて、図２の中に、示される。いくつかの実施形態においては、ハイブリッド・デジタル／アナログＢＦは、それが、完全なデジタルＢＦ実装形態と比較して、低減された複雑さを提供することができるので、使用されることもある。
【００４５】
さらに、図２は、基地局トランシーバ装置１０を示すものであり、すなわち、それぞれの概念が、基地局トランシーバ１００において適用されることが、仮定される。図２は、さらに、個別のアンテナ・パターン１７を示すものであり、この個別のアンテナ・パターン１７は、基地局トランシーバ１００のセクタを対象として含むことが、仮定される。さらに、図２は、複数１５のアンテナの１つのサブグループが、使用され得る第１のビーム・パターン１６と、後で詳細に説明されることになるように、すべてのアンテナ要素が、本実施形態において使用され得る第２のビーム・パターン１８の一例とを示すものである。図２に示されるように、異なるパイロット信号が、異なるサブセクタ、パイロット１．．パイロットＫの中で使用されることもある。さらに、個別のモバイル・トランシーバ２００に対するデータが、第２のビーム・パターン１８を使用して、送信されることもある。さらに、一実施形態においては、Ｋ＝４であり、またＬ＝１６であることが、仮定される。６４個の送信／受信アンテナ要素のうちのそれぞれは、７ｄＢｉの要素利得を、すなわち、個別のアンテナ・パターン１７についての７ｄＢｉのセクタ利得を有することが、仮定される。
【００４６】
すべての６４個の送信／受信アンテナを使用して、２５ｄＢｉのペンシル・ビームが、すべての使用可能なアンテナ要素を伴う、上記で説明されたハイブリッドＡ／Ｄ  ＢＦによって実現されることもある。さらに、すべてのアンテナ要素が、同じセクタを、例えば、９０°のセクタを照らすことが、仮定される。さらに、サブセクタ化が、デジタルＢＦによって実装される可能性があるが、アナログ・ビーム形成は、図１に示されるような時に、所定のセクタの重みを、例えば、Ｋ個の直交／隣接サブセクタを使用している。代わりに、これらのサブセクタは、例えば、トランシーバ・モジュール１２の中のアナログ位相シフタに対して提供されるＫ倍のｍビットによって類似して形成されることもある。
【００４７】
実施形態は、ＢＦ利得が、獲得プロシージャの初めには限られていることもあるので、そのような高いＢＦ利得を用いると、モバイル・トランシーバ２００のための獲得プロシージャは、より複雑になることを考慮することができる。実施形態は、それゆえに、すべての送信／受信アンテナを使用していない、低減されたＢＦ利得を伴う同期信号の送信を開始すること、および少なくとも第１の応答信号が、モバイル・トランシーバ２００から受信されるときに、後で完全なＢＦ利得を確立することにより、獲得を実行することができる。さらに、実施形態は、ダウンリンク通信とアップリンク通信とのために定期的な獲得タイム・スロットを導入することができる。獲得は、階層的なサブセクタ化を伴う複数のステップの中で実行されることもあり、この階層的なサブセクタ化は、後で詳細に説明されるであろう。さらに、実施形態は、サブセクタ−特有のランダム・アクセス・プリアンブルを利用することができる。
【００４８】
実施形態においては、制御モジュール１４は、セクタの複数のサブセクタにわたって同期信号を送信するように動作可能とすることができる。すなわち、同期信号は、サブセクタ特有、またはセクタ特有とすることができる。制御モジュール１４は、さらに、モバイル・トランシーバ２００からの受信信号の品質を評価することにより、ビーム・パターンの第１の組からサブセクタを決定するように動作可能とすることができる。例えば、制御モジュール１４は、モバイル・トランシーバ２００の応答信号の最高の受信信号品質を提供する、ビーム・パターンの第１の組からサブセクタを決定することができ、また制御モジュール１４は、第１のビーム・パターン１６として、最高の受信信号品質を有するサブセクタを選択するように動作可能とすることができる。言い換えれば、第１のビーム・パターン１６は、図２に示されるように、サブセクタの組の中の１つのサブセクタに対応している可能性がある。その組の中のサブセクタを評価することにより、制御モジュール１４は、最高の信号品質を有するサブセクタを決定し、また選択し、また第１のビーム・パターン１６として前記サブセクタを選択することができる。獲得フェーズ中に、最大のＢＦ利得のうちの一部分だけが、実現されることもある。例示の獲得プロシージャが、後で説明されることになり、ここでは、モバイル・トランシーバ２００においては単一のアンテナだけが存在することが仮定される。基地局トランシーバ１００は、各サブセクタにおいて、１３ｄＢｉのアンテナ利得で、デジタル的にプリコードされた同期信号を定期的に送信することが、仮定される。上記で既に述べられているように、代わりに、より堅牢な同期信号が、より広いビームを使用して全体のセクタの上で、しかしながら、それに応じて低減されたアンテナ利得で、送信されることもある。
【００４９】
モバイル・トランシーバ２００は、トリガ、またはトリガ信号を受信して、後続のステップを実行することができる。そのようなトリガは、モバイル・トランシーバ２００におけるイベントに、対応している可能性があり、例えば、データが、送信されるべきであり、番号が、モバイル・トランシーバ２００のユーザによってダイアルされるなどに対応している可能性がある。別のトリガは、ページング信号とすることができ、このページング信号は、モバイル・トランシーバ２００によって受信される。例えば、モバイル・トランシーバ２００のための着信コール、またはデータは、モバイル・トランシーバ２００に対して送信されるべきである。そのようなトリガは、例えば、ページング・チャネル（ＰＣＨ：Ｐａｇｉｎｇ  ＣＨａｎｎｅｌ）の上で基地局トランシーバ１００から受信されることもあり、トリガは、異なる基地局トランシーバから、例えば、異なるシステムから、受信されることもあり、かつ／またはトリガは、異なる周波数搬送波の上で受信されることもある。例えば、システム間ハンドオーバ、または周波数間ハンドオーバは、別のシステムの中で、または別の周波数の上で開始されていることもある。モバイル・トランシーバ２００は、さらに、どの無線リソース、またはコード・リソースの上で、周波数キャリアなどを使用して、同期チャネルを受信し、かつ／またはシステムもしくは基地局トランシーバ１００に応答し、あるいはアクセスすべきかという構成情報（例えば、ランダム・アクセス情報）を受信することができる。例えば、そのような情報が、ブロードキャスト・チャネル（ＢＣＨ：Ｂｒｏａｄｃａｓｔ  ＣＨａｎｎｅｌ）の上で提供されることもある。
【００５０】
次いで、モバイル・トランシーバ２００は、定期的な同期信号を探索し、また基地局トランシーバ１００とのダウンリンク同期を確立する。言い換えれば、モバイル・トランシーバ２００は、同期信号を受信し、また無線フレーム・パターンの境界を決定し、この無線フレーム・パターンの境界は、基地局トランシーバ１００と通信するために後で使用されることになる。次いで、モバイル・トランシーバ２００は、所定の無線リソースの上でランダム・アクセス・プリアンブル（ＲＡＰ：Ｒａｎｄｏｍ  Ａｃｃｅｓｓ  Ｐｒｅａｍｂｌｅ）を送信する。いくつかの実施形態においては、これらの無線リソースは、セクタに基づいて、またはセルに基づいてあらかじめ定義されており、他の実施形態においては、これらの無線リソースは、サブセクタに基づいて定義されることもある。基地局トランシーバ１００は、各サブセクタにおいて、並列にＲＡＰをスキャンする。ＲＡＰが、１つまたは複数のサブセクタの上で検出される場合に、基地局トランシーバ１００は、最強のＲＡＰ−信号を有するサブセクタを選択し、またこのサブセクタの中でランダム・アクセス応答（ＲＡＲ：Ｒａｎｄｏｍ  Ａｃｃｅｓｓ  Ｒｅｓｐｏｎｓｅ）をトリガする／送信する。本実施形態においては、ダウンリンク・サブセクタと、アップリンク・サブセクタとが、同じになることが仮定されることに注意すべきである。いくつかの他の実施形態においては、ダウンリンク・サブセクタと、アップリンク・サブセクタとは、同様に、異なっていると仮定される可能性があり、任意のオープン・ループの概念、またはクローズド・ループの概念は、次いで、アップリンクと、ダウンリンクとにおいて、それぞれのセクタ／サブセクタに対してモバイル・トランシーバを割り当てるために使用されることもある。
【００５１】
ＲＡＲは、アップリンク・タイミング調整のための、またはモバイル・トランシーバＩＤの割当てのための情報を含むことができる。次いで、モバイル・トランシーバ２００は、ＲＡＲを検出することができ、また少なくともパイロット信号を送信することを開始することができる。基地局トランシーバ１００は、選択されたサブセクタの上でパイロット信号を受信することができ、また次いで、アナログＢＦのための最良の重みを選択することができる。これは、サブセクタの４つのアナログ・ビームのそれぞれの上でパイロット信号を連続して受信することにより、例えば、４つのアナログ・ビームを通して切り替えることにより、行われることもある。そのような切り替えは、バトラー行列の異なる入力を選択することにより、またはサブアレイの中の対応する位相シフタ構造についての異なる重みを使用することにより、達成されることもあり、これは、モバイル・トランシーバ２００による少なくとも４つの時間単位またはタイム・スロットの上でパイロット信号を送信することを含むことができる。ひとたび最良のアナログ・ビーム・パターン、例えば、１９ｄＢｉのアンテナ利得を有するパターンが、基地局トランシーバ１００によって選択された後に、パイロット信号を使用して、デジタル重みを微調整して、２５ｄＢｉのペンシル・ビームを取得することができる。言い換えれば、この実施形態においては、モバイル・トランシーバ２００によって送信されるパイロット信号を使用して、ビーム・パターンを微調整し、また第１のビーム・パターン１６は、同期信号の送信によるセクタまたはサブセクタに対応している可能性があり、ここでは、第２のビーム・パターン１８は、次いで、モバイル・トランシーバ２００からの受信されたパイロット信号に基づいて形成される。
【００５２】
言い換えれば、上記の実施形態においては、基地局トランシーバ装置１０の制御モジュール１４は、第１のビーム・パターン１６を使用して、モバイル・トランシーバ２００からＲＡＰ信号を受信するように動作可能である。制御モジュール１４は、さらに、第１のビーム・パターン１６を使用して、モバイル・トランシーバ２００に対してＲＡＲを送信し、またモバイル・トランシーバ２００からパイロット信号を受信するように動作可能である。制御モジュール１４は、さらに、パイロット信号に基づいて、第２のビーム・パターン１８を決定し、また第２のビーム・パターン１８を使用して後続の信号を送信するように動作可能である。別の実施形態においては、モバイル・トランシーバ２００は、基地局トランシーバ１００が、デジタルおよびアナログのビーム形成の重みを選択するまで、ＲＡＰ送信を繰り返すことができる。次いで、基地局トランシーバ１００は、十分なＢＦ利得で、ＲＡＲを送信することができる。
【００５３】
さらなる一実施形態においては、ＲＡＰリソースは、サブセクタについて規定され、またモバイル・トランシーバ２００は、受信された同期／パイロット信号に基づいて、最良のサブセクタを選択する。次いで、モバイル・トランシーバ２００は、サブセクタ−特有のＲＡＰを送信することができる。言い換えれば、制御モジュール１４は、第１のビーム・パターン１６を使用して、モバイル・トランシーバから１つまたは複数のＲＡＰ信号を受信するように動作可能とすることができる。制御モジュール１４は、さらに、１つまたは複数のＲＡＰ信号に基づいて、第２のビーム・パターン１８を決定するように動作可能とすることができる。次いで、制御モジュール１４は、第２のビーム・パターン１８を使用してモバイル・トランシーバ２００に対してＲＡＲを送信するように動作可能とすることができる。言い換えれば、いくつかの実施形態においては、十分なＢＦ利得は、ＲＡＲを送信するために既に達成されていることもある。
【００５４】
上記の実施形態の両方は、基地局トランシーバ１００が、十分なビーム形成利得で、モバイル・トランシーバ２００に対して、データと、制御情報とを送信することを可能にすることができる。同様に、基地局トランシーバ１００は、十分なＢＦ利得で、モバイル・トランシーバ２００からデータと、制御情報とを受信することができる。モバイル・トランシーバ２００は、基地局トランシーバ１００が、ＢＦの重みをアップデートすることを可能にされるように、何らかのアップリンク・パイロット信号を送信し続けることができる。
【００５５】
例えば、トランシーバ・モジュール１２は、アナログＢＦを使用して、第１のビーム・パターン１６を形成するように動作可能とすることができる。制御モジュール１４は、その場合には、デジタルＢＦを使用して、第２のパターン１８を形成するように動作可能とすることができる。他の実施形態においては、トランシーバ・モジュール１２は、アナログＢＦを使用して、第１のビーム・パターン１６と、第２のビーム・パターン１８とを形成するように動作可能とすることができる。制御モジュール１４は、その場合には、トランシーバ・モジュール１２においてビーム・パターンを選択するように動作可能とすることができる。言い換えれば、トランシーバ・モジュール１２は、例えば、バトラー行列を用いて、またはアナログ位相シフタを用いて、アナログＢＦを実行するように動作可能とすることができ、ここで、そのような位相シフタの調整のための入力が、デジタル的に提供されることもある。トランシーバ・モジュール１２は、その場合には、選択するべき、制御モジュール１４のためのいくつかのアナログ的に形成されたビームを提供することができる。いくつかの実施形態においては、制御モジュール１４は、それに応じて、固定されたビームの切り替えを実行するように動作可能とすることができ、ここで、それらのビームは、トランシーバ・モジュール１２によって調整され、また提供される。用語「調整する（ｆｉｘ）」は、ＢＦが、無線フレーム当たりや無線スロット当たりなど、短時間のスケジュールまたはフレームの上では適合され得ず、むしろ、１ｓ、２ｓ、５ｓなどのより長い時間スケールの上で適合されることを示すものとする。そのような適合化は、その場合には、例えば、アナログ位相シフタに対して適合されたデジタル重みを提供することにより、実行されることもある。他の実施形態においては、ビームは、実際に、あらかじめ規定され、また調整されることもある。
【００５６】
さらなる実施形態においては、制御モジュール１４は、同期信号に対する第１の所定のタイム・スロットにおいて、トランシーバ・モジュール１２を使用して、モバイル・トランシーバ２００から同期信号に対する応答信号を受信するように動作可能とすることができる。制御モジュール１４は、さらに、第１のタイム・スロットとは異なる第２の所定のタイム・スロットにおいて、トランシーバ・モジュール１２を使用してモバイル・トランシーバ２００に特有の制御データを送信するように動作可能とすることができる。
【００５７】
一実施形態において使用されることもあるようなタイム・スロット、またはフレーム構造が、図３に示されている。図３は、定期的な獲得タイム・スロットを有するダウンリンク・タイミング図を示すものである。図３は、最上部に、フレーム構造の第１の実施形態を示しており、そこでは、無線フレーム３００は、獲得部分３１０と、アップリンク制御部分３２０と、ダウンリンク制御部分３３０と、アップリンク／ダウンリンクのデータ部分３４０とを含む。図３に示されるように、アップリンク／ダウンリンクの制御部分およびデータ部分３２０、３３０および３４０は、１つのフレームの中で繰り返し送信され、そこでは、獲得部分３１０は、全体のフレームの最初に連結される。さらに、最上部にある図３の中の例から分かるように、アップリンク／ダウンリンクのデータ部分および制御部分の持続時間にアップリンク／ダウンリンクのデータ部分の１つを加えたものは、Ｔに等しい。一実施形態の別の例が、図３の最下部に示されている。図３の最下部には、別の無線フレーム３５０が、示されており、この無線フレーム３５０はまた、獲得部分３１０と、アップリンク制御部分３２０と、ダウンリンクの制御部分３３０と、アップリンクおよびダウンリンクのデータ部分３４０とを含み、ここで、この実施形態においては、データ部分は、獲得部分３１０の送信を可能にするように短縮される。言い換えれば、図３の最下部における第２の実施形態においては、獲得部分３１０は、ある種の周期を用いて送信され、また獲得部分が、送信されるときに、後続のデータ部分３４０は、獲得部分３１０と、アップリンク制御部分３２０と、ダウンリンク制御部分３３０と、短縮されたデータ部分３４０とが、Ｔという持続時間を有するように、短縮される。
【００５８】
ハイブリッド・アナログ／デジタルＢＦは、時分割多重化（ＴＤＭ：Ｔｉｍｅ  Ｄｉｖｉｓｉｏｎ  Ｍｕｌｔｉｐｌｅｘｉｎｇ）を使用して、ユーザ特有の制御およびデータの獲得と送信とを分離することができる。図３に示されるように、ダウンリンクと、アップリンクとの中の定期的な獲得タイム・スロット３１０が、使用されることもある。一実施形態においては、図２に示されるようなトランシーバが、使用されることもあり、また獲得タイム・スロット３１０中に、アナログＢＦは、所定のセクタの重みを使用することができ、また純粋なデジタルＢＦが、適用されることもある。図３は、アップリンク制御３２０と、ダウンリンク制御３３０と、アップリンク／ダウンリンクのデータ３４０とのうちの部分を含む、（動的な）ＴＤＭのためのサブフレーム構造を示しており、そこでは、各部分は、図３に示されるように、タイム・ドメインの中で分離される１つまたは複数のシンボルを含んでいる。図３の最上部における実施形態は、アップリンク制御３２０と、ダウンリンク制御３３０と、アップリンク／ダウンリンクのデータ３４０とについての部分の調整持続時間Ｔを仮定している。ダウンリンク獲得部分３１０が、周期的に挿入される。図３の最下部における例は、ダウンリンク獲得タイム・スロット３１０の周期が、いくつかのアップリンク／ダウンリンクのデータ部分３４０を、例えば、ダウンリンク獲得部分に続く第１のアップリンク／ダウンリンクのデータ部分を短縮することにより達成されるＴの整数倍であることを仮定している。
【００５９】
いくつかの実施形態においては、制御モジュール１４は、ますます狭くなるビームを後で評価することにより、第２のビーム・パターン１８を繰り返して決定するように動作可能とすることができる。これは、階層的ＢＦと称されることもある概念である。言い換えれば、制御モジュール１４は、かなり少数のビームを有し、またより低い利得を有するビームを有するビームの組を最初に評価し、また次いで、後で、より高い利得を有するより多数のビームを有する組を評価するように動作可能とすることができる。例えば、制御モジュール１４は、セクタを対象として含む２つのビームをチェックし、２つのビームのうちの一方を選択し、また次いで、選択されたビームを対象として含む２つのより狭いビームを評価することができるなどである。
【００６０】
図４は、制御モジュール１４のいくつかの実施形態の中で実行されることもあるような、階層的なビーム探索を使用した一実施形態を示すものである。図４は、３つのステップ４１と、４２と、４３とに細分される、ビーム探索のシーケンスを示すものである。第１のステップ４１においては、２つの幅広のビームが、評価され、ステップ１において選択される幅広のビームのエリアの中で、第２のステップ４２において、２つのより幅の狭いビームが、評価され、次いで、これらのビームのうちの一方が、選択される。次いで、今選択されたビームは、ステップ４３において再評価され、ここでは、より幅の狭くさえあるビームは、ステップ４２において選択されるビームのエリアの中にあると、次には考えられる。図４は、３つの後続のタイム・スロットにおけるそのような方法を示すものであり、ステップ４３の中に示される８つのペンシル・ビームのうちの最良のものが、３つのステップ、または３つのタイム・スロットにおいて選択される可能性がある。
【００６１】
上記で説明されているように、獲得フェーズは、ビーム形成されたリンクをセットアップするだけでなく、またユーザが移動する場合に、または万一いくつかの送信経路がブロックされる場合に、ＢＦの重みを適応させるようにも関連のあるものとすることができる。これもまた、図４に示されている。以下の実施形態においては、純粋なアナログＢＦが、例えば、１６個のビームを用いて、また単一のデジタル経路を使用して、考慮されることになる。一実施形態においては、最良のビームを見出すために、１つの前向きのやり方は、例えば、ユーザまたはモバイル・トランシーバ２００の上記で説明されたアップリンク・パイロット信号に基づいて、すべての１６個のビームをひとつずつスキャンするべきことになる。そのような一実施形態においては、１６個のタイム・スロットを使用して、後続の評価を使用して、最良のビームを見出すことができる。いくつかの実施形態においては、アナログ・バトラー行列に類似したアプローチを使用して、単一のデジタル経路だけが使用可能である可能性があるので、１つのビームだけが、その時に測定されることもある。
【００６２】
いくつかの実施形態は、より高速の技法を使用することができ、この技法はまた、サブセクタ化と称されることもある。いくつかの実施形態においては、制御モジュール１４は、４つのサブセクタのうちから最良のものを、すなわち、その時に１つのサブセクタを、選択し、また次いで、サブセクタ当たりに最良のビームを選択することができる。これは、選択時間を８つのタイム・スロットへと低減させることができる。図４に示されるように、また上記で説明されるように、いくつかの実施形態によって使用されるさらに高速の技法は、階層的なサブセクタ化と称されることもある。第１のタイム・スロット４１において、２つのセクタが導入され、また最良のセクタが、選択される。第２のタイム・スロット４２において、４つのサブセクタが規定され、これらの４つのサブセクタのうちの２つは、ステップ４１において選択されているセクタの中にある。これら２つのうちからの最良のものが、次に、後続のステップのための基礎として選択されることもある。後続のステップは、そのうちの１つが図４の中のステップ４３によって例示されており、以前のステップ４２のうちの選択されたサブセクタは、さらに、２つのより幅の狭いサブセクタへと細分され、これらの幅の狭いサブセクタのうちから最良のサブセクタが、次に選択される。最後のタイム・スロットにおいて、最良のビームが、ビームの小さなサブセットから選択される。１６個のビームを有する一例においては、このプロシージャは、４つのタイム・スロットを必要とする可能性があるだけである。
【００６３】
実施形態においては、類似したプロシージャが、ハイブリッド・デジタル／アナログＢＦと組み合わせてさらに適用されることもある。例えば、図２に示されるトランシーバ１００では、Ｋ＝４個のサブセクタが、純粋なデジタルＢＦを用いて規定され、すなわち、４つのサブセクタは、最低限の１つのタイム・スロットを必要とするアップリンクにおいて同時に処理される可能性があることを仮定する。ひとたび最良のサブセクタが選択されると、サブセクタの内部の４つのビームのうちの最良のものが、決定されることもある。これは、ビームごとに、または階層的なサブセクタ化を使用することにより、行われることもある。階層的なサブセクタ化は、同様に、純粋なデジタルＢＦとともに使用されることもあり、また多数のビームを同時にスキャンすることと比較すると、計算の複雑さを低下させることができる。
【００６４】
いくつかの実施形態においては、サブセクタ−特有のＲＡＰが、使用されることもある。実施形態は、上記の説明に沿って、サブセクタ−特有の同期信号、またはパイロット信号を用いてダウンリンク送信のためのサブセクタを規定することができ、これらの同期信号またはパイロット信号は、ダウンリンクにおけるサブセクタ−特有のＲＡＲ、および／またはアップリンクにおけるＲＡＰを規定することを可能にすることができる。実施形態は、獲得スピードまたは効率が、移動局２００がダウンリンク測定結果から最良のサブセクタを決定し、またアップリンクにおけるサブセクタ−特有のＲＡＰを用いてその選択を示す点で、増大させられることもあるという利点を提供することができる。実施形態は、例えば、Ｋというファクタだけ、直交ビームの上でＳＤＭＡを活用することによりＲＡについての容量を強化することができる。
【００６５】
さらなる一実施形態においては、セル識別情報を搬送する一次同期信号は、全体のセクタの上でダウンリンク獲得部分中に、ブロードキャストされることもあり、またサブセクタ識別情報を搬送するＫ個の二次同期信号は、例えば、デジタル・ビーム形成を用いて同時に、Ｋ個のサブセクタの上で送信されることもある。モバイル・トランシーバ２００は、次いで、セル識別情報を検出し、最良の受信されたサブセクタ同期信号を選択し、またその選択されたサブセクタに基づいて、モバイル・トランシーバ２００は、サブセクタのために規定される組から、例えば、ザドフ−チュー・シーケンス（Ｚａｄｏｆｆ−Ｃｈｕ  ｓｅｑｕｅｎｃｅｓ）の組からＲＡＰを送信することができる。いくつかの実施形態においては、サブセクタ当たりのＲＡが、従来のセルラー方式通信システムにおいて、例えば、ＷＣＤＭＡシステムにおいて適用される可能性もあり、このシステムにおいては、ＲＡ生成のためのスクランブリング・コードは、二次スクランブリング・コードから導き出される可能性がある。
【００６６】
図５は、モバイル通信システムのモバイル・トランシーバ２００において動作可能な装置２０の一実施形態を示すものである。言い換えれば、装置２０は、モバイル・トランシーバ２００に適合させられ、またはモバイル・トランシーバ２００の中で動作可能とすることができ、またモバイル・トランシーバ２００の中で動作させられ、またはモバイル・トランシーバ２００の中に含まれることもある。実施形態はまた、装置２０を備えているモバイル・トランシーバ２００を提供する。図５は、さらに、装置２０を備えているモバイル・トランシーバ２００の一実施形態（破線）を示している。装置２０は、トランシーバ・モジュールを備えている。トランシーバ・モジュール２２は、上記で説明されるような類似したトランシーバ・モジュールに対応している可能性があるが、しかしながら、モバイル・トランシーバ２００に適合させられ、上記で説明された典型的なトランシーバ・コンポーネントを備えている。類似したやり方で、トランシーバ・モジュール２２は、１つまたは複数のトランシーバ・デバイス、１つまたは複数のトランシーバ・ユニット、送受信するための、すなわち受信するための、かつ／または送信するための任意の手段などとして実装されることもある。トランシーバ・モジュール２２は、複数のアンテナ２５に対するインターフェースを備えており、この複数のアンテナは、送信アンテナおよび／または受信アンテナ２５に対応している可能性がある。インターフェースに関しては、それは、同様に上記で説明されたインターフェースと称される。トランシーバ・モジュール２２は、制御モジュール２４に結合される。制御モジュール２４は、複数の送信／受信アンテナ２５に基づいて、ビーム・パターンの第１の組２６を決定するように動作可能である。制御モジュール２４は、トランシーバ・モジュール２２を使用して、ビーム・パターンの第１の組２６からの第１のビーム・パターンを使用して、基地局トランシーバ１００から信号を受信するように動作可能である。制御モジュール２４は、さらに、複数の送信／受信アンテナ２５に基づいて、ビーム・パターンの第２の組２８を決定するように動作可能である。図５に示されるように、ビーム・パターンの第２の組２８は、ビーム・パターンの第１の組２６よりも多くのビーム・パターンを含んでいる。制御モジュール２４は、さらに、第２のビーム・パターン２８を使用して、またトランシーバ・モジュール２２を使用して、基地局トランシーバ１００に対して信号を送信するように動作可能である。
【００６７】
上記で既に説明されているように、制御モジュール２４は、基地局トランシーバ１００からの信号として同期信号を受信し、またその同期信号に基づいて、ＲＡＰの送信のための無線リソースに関連した情報を決定するように動作可能とすることができる。制御モジュール２４は、次いで、同期信号に基づいて決定される無線リソースを使用して、基地局トランシーバ１００に対してＲＡＰを送信するように動作可能とすることができる。言い換えれば、同期信号は、それが、セクタごとに送信されようが、またはサブセクタごとに送信されようが、無線リソースを決定することができる。さらなる実施形態においては、制御モジュール２４は、ビーム・パターンの第１の組２６からの第１のビーム・パターンを使用して、またトランシーバ・モジュール２２を使用して、基地局トランシーバ１００からの信号として、同期信号を受信するように動作可能とすることができる。制御モジュール２４は、さらに、ビーム・パターンの第２の組２８からの第２のビーム・パターンを使用して、またトランシーバ・モジュール２２を使用して、基地局トランシーバ１００に対してＲＡＰを送信するように動作可能とすることができる。
【００６８】
言い換えれば、モバイル・トランシーバ２００は、複数の送信／受信アンテナ２５を使用することができる。同期信号の処理は、図２に示されているものと同様に、モバイル・トランシーバ２００において４つのデジタル経路を仮定するときに、少数の（所定の）受信ビームについて、例えば、４つの受信ビームについて並列に実行されることもある。４つのビームは、その場合には、ビーム・パターンの第１の組２６に対応している可能性がある。ダウンリンク同期が、確立されている場合に、移動局２００は、より大きな組の（４よりも大きい）受信ビームを、すなわち、ビーム・パターンの第２の組２８を使用して、デジタルＢＦのために重みを微調整することができる。この微調整は、モバイル・トランシーバ２００によって定期的に実行されて、タイム・ドメイン／周波数ドメイン／空間ドメインにおいて同期を維持することができる。微調整されたＢＦ重みは、次いで、送信と受信とのために、モバイル・トランシーバ２００によって適用されて、例えば、ＲＡＲを受信し、またＲＡＰ、アップリンク・パイロット信号などを送信することができる。
【００６９】
さらなる実施形態においては、制御モジュール２４は、ビーム・パターンの第１の組２６からの第１のビーム・パターンを使用して、またトランシーバ・モジュール２２を使用して、基地局トランシーバ１００からの信号として、同期信号を受信するように動作可能とすることができる。制御モジュール２４は、さらに、第１のビーム・パターンを使用して、またトランシーバ・モジュール２２を使用して、基地局トランシーバ１００に対してＲＡＰを送信するように動作可能とすることができる。次いで、制御モジュール２４は、さらに、第１のビーム・パターンを使用して、またトランシーバ・モジュール２２を使用して、ＲＡＲを受信し、また第２のビーム・パターンを使用して、またトランシーバ・モジュール２２を使用して、パイロット信号を送信するように動作可能である。
【００７０】
図６は、モバイル通信システムの基地局トランシーバのための方法についての一実施形態のブロック図を示すものである。本方法は、複数のアンテナ１５を複数のサブグループへと細分するステップ３０と、サブグループとして１つまたは複数のアンテナを使用して、第１のビーム・パターン１６を形成するステップ３２とを含む。本方法は、第１のビーム・パターン１６を使用して、同期信号を送信するステップ３４と、モバイル・トランシーバ２００から同期信号の送信の後に、応答信号を受信するステップ３６とをさらに含む。本方法は、モバイル・トランシーバ２００からの応答信号に基づいて、第２のビーム・パターン１８を決定するステップ３８と、第２のビーム・パターン１８を使用して、モバイル・トランシーバ２００に対して信号を送信するステップ４０とをさらに含む。第２のビーム・パターン１８は、第１のビーム・パターン１６よりも高いアンテナ利得を有している。
【００７１】
図７は、モバイル通信システムのモバイル・トランシーバ２００のための方法についての一実施形態のブロック図を示すものである。本方法は、複数のアンテナ２５に基づいて、ビーム・パターンの第１の組２６を決定するステップ４２を含む。本方法は、ビーム・パターンの第１の組２６からの第１のビーム・パターンを使用した信号を、基地局トランシーバ１００から受信するステップ４４をさらに含む。本方法は、複数のアンテナ２５に基づいて、ビーム・パターンの第２の組２８を決定するステップをさらに含む。ビーム・パターンの第２の組２８は、ビーム・パターンの第１の組２６よりも多くのビーム・パターンを含んでいる。本方法は、第２のビーム・パターンの組２８からの第２のビーム・パターンを使用して、信号を基地局トランシーバ１００に対して送信するステップ４８をさらに含む。
【００７２】
さらなる一実施形態は、コンピュータによって実行されるときに、本明細書において説明される方法のうちの１つを実装するようにコンピュータにさせる命令を記憶するコンピュータ読み取り可能ストレージ媒体である。他の実施形態は、コンピュータ・プログラムまたはコンピュータ・プログラム製品が、プロセッサ、コンピュータ、またはプログラマブル・ハードウェアの上で実行されるときに、上記で説明された方法のうちのどれかの方法を実行するためのプログラム・コードを有するコンピュータ・プログラムまたはコンピュータ・プログラム製品である。
【００７３】
当業者なら、様々な上記で説明された方法のステップが、プログラムされたコンピュータによって実行され得ることを簡単に認識するであろう。本明細書においては、いくつかの実施形態はまた、プログラム・ストレージ・デバイス、例えば、デジタル・データ・ストレージ媒体を対象として含むことも意図しており、このプログラム・ストレージ・デバイスは、マシン読み取り可能、またはコンピュータ読み取り可能であり、また命令のマシン実行可能なプログラム、またはコンピュータ実行可能なプログラムを符号化しており、ここで、前記命令は、本明細書において説明される方法のステップのうちのいくつかまたはすべてを実行する。プログラム・ストレージ・デバイスは、例えば、デジタル・メモリ、磁気ディスクや磁気テープなどの磁気ストレージ媒体、ハード・ドライブ、または光学的に読み取り可能なデジタル・データ・ストレージ媒体とすることができる。それらの実施形態はまた、本明細書において説明される方法の前記ステップを実行するようにプログラムされるコンピュータ、あるいは上記で説明された方法の前記ステップを実行するようにプログラムされる、（フィールド）プログラマブル・ロジック・アレイ（（Ｆ）ＰＬＡ：（ｆｉｅｌｄ）  ｐｒｏｇｒａｍｍａｂｌｅ  ｌｏｇｉｃ  ａｒｒａｙｓ）または（フィールド）プログラマブル・ゲート・アレイ（（Ｆ）ＰＧＡ：（ｆｉｅｌｄ）  ｐｒｏｇｒａｍｍａｂｌｅ  ｇａｔｅ  ａｒｒａｙｓ）を対象として含むことも意図している。
【００７４】
説明および図面は、単に本発明の原理を示しているにすぎない。したがって、当業者なら、本明細書において明示的に説明されても、または示されてもいないけれど、本発明の原理を具現化し、また本発明の趣旨および範囲の内部に含まれる様々な構成を考案することができるようになることが理解されるであろう。さらに、本明細書において列挙されるすべての例は、主として、本発明者（単数または複数）が当技術を推進することに寄与している本発明の原理、および概念を理解するに際して、読者を支援する教育上の目的のためにすぎないように明示的に意図され、またそのような具体的に列挙された例および状態だけに限定することのないように解釈されるべきである。さらに、本発明の原理、態様および実施形態を列挙している本明細書におけるすべての記述、ならびにその特定の例は、その同等物を包含することを意図している。
【００７５】
（ある種の機能を実行する）「ための手段」として示される機能ブロックは、実行するために適合されている、またはそれぞれある種の機能を実行する回路を備えている機能ブロックとして理解されるべきである。それゆえに、「第ｓのための手段」は、同様に、「第ｓのために適合され、または適している手段」として理解されることもある。ある種の機能を実行するために適合されている手段は、それゆえに、そのような手段が、必ずしも前記機能を（与えられた瞬間に）実行していることを意味しているとは限らない。
【００７６】
「手段」、「送受信するための手段」、「制御するための手段」などとしてラベル付けされる任意の機能ブロックを含めて、図面に示される様々な要素の機能は、「トランシーバ」、「制御装置／プロセッサ」などの専用のハードウェア、ならびに適切なソフトウェアに関連して、ソフトウェアを実行することができるハードウェアの使用を通して提供されることもある。さらに、本明細書において「手段」として説明される任意のエンティティは、「１つまたは複数のモジュール」、「１つまたは複数のデバイス」、「１つまたは複数のユニット」などに対応している可能性があり、または「１つまたは複数のモジュール」、「１つまたは複数のデバイス」、「１つまたは複数のユニット」などとして実装されることもある。プロセッサによって提供されるときに、それらの機能は、単一の専用のプロセッサによって、単一の共用のプロセッサによって、またはそれらのうちのいくつかが共用され得る複数の個別のプロセッサによって提供されてもよい。さらに、「プロセッサ」または「制御装置」という用語の明示的な使用は、ソフトウェアを実行することができるハードウェアだけを排他的に意味するように解釈されるべきではなく、また限定することなく、デジタル信号プロセッサ（ＤＳＰ：ｄｉｇｉｔａｌ  ｓｉｇｎａｌ  ｐｒｏｃｅｓｓｏｒ）のハードウェアと、ネットワーク・プロセッサと、特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）と、フィールド・プログラマブル・ゲート・アレイ（ＦＰＧＡ：ｆｉｅｌｄ  ｐｒｏｇｒａｍｍａｂｌｅ  ｇａｔｅ  ａｒｒａｙ）と、ソフトウェアを記憶するためのリード・オンリー・メモリ（ＲＯＭ：ｒｅａｄ  ｏｎｌｙ  ｍｅｍｏｒｙ）と、ランダム・アクセス・メモリ（ＲＡＭ：ｒａｎｄｏｍ  ａｃｃｅｓｓ  ｍｅｍｏｒｙ）と、不揮発性ストレージとを暗黙のうちに含むことができる。他のハードウェアが、従来のもの、またはカスタムのものもまた、含められる可能性がある。それらの機能は、プログラム・ロジックのオペレーションを通して、専用のロジックを通して、プログラム制御と専用のロジックとの相互作用を通して、または手動によってさえも、実行される可能性があり、特定の技法は、文脈からもっと具体的に理解されるように、実装者によって選択可能である。
【００７７】
本明細書における任意のブロック図は、本発明の原理を具現化する実例となる回路の概念図を表すことが、当業者によって理解されるべきである。同様に、任意のフロー・チャートと、流れ図と、状態遷移図と、擬似コードなどとは、コンピュータ読み取り可能媒体の形で実質的に表され、またそのようにしてコンピュータまたはプロセッサによって、そのようなコンピュータまたはプロセッサが明示的に示されているか否かにかかわらず、実行され得る様々なプロセスを表すことが、理解されるであろう。
【００７８】
さらに、添付の特許請求の範囲は、これによって本願の中に組み込まれ、ここでは、各請求項は、別個の実施形態としてそれ自体に基づいたものとすることができる。各請求項は、別個の実施形態としてそれ自体に基づいたものとすることができるが、従属請求項は、それらの請求項において、１つまたは複数の他の請求項との特定の組合せについて言及することができるが、他の実施形態は、それぞれの他の従属請求項の主題とのその従属請求項の組合せを含むこともできることに注意すべきである。そのような組合せは、特定の組合せが意図されていないことが、述べられていない限り、本明細書において提案される。さらに、たとえこの請求項が、独立請求項に直接に従属させられていないとしても、任意の他の独立請求項に対する請求項の特徴もまた含むことが意図されている。
【００７９】
明細書の中で、または特許請求の範囲の中で開示される方法は、これらの方法のそれぞれのステップのうちの各ステップを実行するための手段を有するデバイスによって実装され得ることに、さらに注意すべきである。
【図１】
0006487923.tif 000002
【図２】
0006487923.tif 000003
【図３】
0006487923.tif 000004
【図４】
0006487923.tif 000005
【図５】
0006487923.tif 000006
【図６】
0006487923.tif 000007
【図７】
0006487923.tif 000008